(57)【要約】  【課題】組立て作業が容易なカム装置を提供する。  【解決手段】上型の昇降に伴い上下方向Ｖに移動するベース２と、ベース２の摺動面２３に沿って移動可能にベース２に保持されるカムスライド４と、ベース２の上下方向Ｖの移動中、カムスライド４の被案内面４６との摺動により、カムスライド４の工具保持面４８を工具の移動方向Ｓに案内するカムドライバ５と、上型の下降に伴いベース２の摺動面２３に沿って移動したカムスライド４を、押し戻す方向に付勢するスプリングセット６と、を備える。カムスライド４は、スプリングセット６が挿入される段付貫通穴４１を有する。スプリングセット６は、カムスライド４の段付貫通穴４１の大径部４２に収容されるスプリング６２と、スプリング６２をプリロードして圧縮するスプリングガイド６０と、を有する。【選択図】図３
2016179476.tif 000002
【特許請求の範囲】
【請求項１】
金型の昇降に従って、工具を所望方向に移動させるカム装置であって、
摺動面を有し、前記金型の昇降に伴い上下方向に移動するベースと、
前記工具を保持する工具保持面を有し、前記ベースの前記摺動面に沿って移動可能に当該ベースに保持されるカムスライドと、
前記工具の移動方向に沿って形成され、前記ベースの移動により、前記カムスライドと接触して前記カムスライドを摺動させる案内面を有し、前記ベースの上下方向の移動中、前記カムスライドと当該案内面との摺動により、前記カムスライドの前記工具保持面を前記工具の移動方向に案内するカムドライバと、
前記金型の下降に伴い前記ベースの前記摺動面に沿って移動した前記カムスライドを、押し戻す方向に付勢するスプリングセットと、を備え、
前記カムスライドは、
前記スプリングセットが挿入される段付貫通穴を有し、
前記スプリングセットは、
前記カムスライドの前記段付貫通穴の大径部に収容されるスプリングと、
前記スプリングにプリロードを加えて圧縮するプリロード手段と、を有する
ことを特徴とするカム装置。
【請求項２】
請求項１に記載のカム装置であって、
前記プリロード手段は、一端に前記スプリングのバネ座が形成され、他端に前記カムスライドの前記段付貫通穴の小径部への進入を規制するストッパが形成された柱状のスプリングガイドであり、
前記スプリングは、前記スプリングガイドに装着され、一端が前記カムスライドの前記段付貫通穴の段差面に当接し、かつ他端が前記スプリングガイドの前記バネ座と当接して、プリロードされている
ことを特徴とするカム装置。
【請求項３】
請求項２に記載のカム装置であって、
前記スプリングガイドは、
一方を他方に捩じ込むことにより軸方向に連結可能な複数のシャフト部材で構成されている
ことを特徴とするカム装置。
【請求項４】
請求項２または３に記載のカム装置であって、
前記スプリングガイドに装着され、一端が当該スプリングガイドの前記バネ座と当接し、他端が前記スプリングと当接するプリロード調整用の第１のカラーをさらに備える
ことを特徴とするカム装置。
【請求項５】
請求項２ないし４のいずれか一項に記載のカム装置であって、
前記スプリングガイドに装着され、一端が前記カムスライドの前記段付貫通穴の段差面と当接し、他端が前記スプリングと当接するプリロード調整用の第２のカラーをさらに備える
ことを特徴とするカム装置。
【発明の詳細な説明】
【技術分野】
【０００１】
本発明は、金型の昇降に従い工具を所望方向に移動させるカム装置に関する。
【背景技術】
【０００２】
工具取付面に取り付けられた工具を、金型の昇降に従い所望方向に移動させるカム装置が知られている（特許文献１等）。図７（Ａ）および図７（Ｂ）は、従来のカム装置８の正面図（部分断面図）である。
【０００３】
図示するように、従来のカム装置８は、ベース８０と、ガイドバー８１と、スプリング８２と、カムスライド８３と、カムドライバ８４と、を備えている。
【０００４】
ベース８０は、図示していない上型に固定され、この上型とともに上下方向Ｖに往復移動する。ベース８０の下面８００には、スプリング８２が装着されたガイドバー８１が挿入されたカムスライド８３を収容する逆Ｕ字型の収容部８０１が形成され、この収容部８０１の底面８０２には、カムスライド８３との摺動面８０３が形成されている。また、収容部８０１の一方の側壁８０４には、ベース８０にガイドバー８１を取り付けるための逆Ｕ字側の装着部８０５が形成され、収容部８０１の他方の側壁８０６には、ガイドバー８１に装着されたスプリング８２がガイドバー８１とともに当接するバネ座８０７が形成されている。さらに、装着部８０５には、ガイドバー８１をベース８０に固定するためのボルト８５と螺合するネジ穴８０６が形成されている。
【０００５】
ガイドバー８１は、カムスライド８３に挿入され、このカムスライド８３をベース８０の摺動面８０３に沿って案内する円柱状部材であり、その一方の端部８１０には、ガイドバー８１をベース８０に固定するためのボルト８５が挿入されるボルト穴８１２が形成されている。
【０００６】
スプリング８２は、カムスライド８３に収容された状態でガイドバー８１に装着され、カムスライド８３をホームポジションＡ（ベース８０の収容部８０１の側壁８０４）に押し戻す方向に付勢する。
【０００７】
カムスライド８３には、スプリング８２が装着されたガイドバー８１が挿入される段付貫通穴８３０が形成されている。これにより、カムスライド８３は、ベース８０の収容部８０１に収容されたガイドバー８１に沿って移動する。段付貫通穴８３０は、ベース８０の収容部８０１の側壁８０６側に位置する大径部８３１と、ベース８０の収容部８０１の側壁８０４側に位置し、大径部８３１より小さな内径の小径部８３２と、を有する。段付貫通穴８３０の大径部８３１には、スプリング８２が収容される。これにより、スプリング８２は、一端がベース８０の収容部８０１の側壁８０６に形成されたバネ座８０７に当接し、他端が段付貫通穴８３０の大径部８３１の底部（大径部８３１と小径部８３２との内径差により形成される段差面）８３３に当接して、カムスライド８３をホームポジションＡに押し戻す方向に付勢する。なお、段付貫通穴８３０の小径部８３２の内径は、カムスライド８３がスムーズに移動できるように、ガイドバー８１の外径より大きい適切な値に設計されている。
【０００８】
また、カムスライド８３には、ベース８０の下降時にベース８０の摺動面８０３に接触するスライドプレート８３４が取り付けられている。スライドプレート８３４は、ベース８０の下降時にベース８０の摺動面８０３と接触して滑動する。これにより、カムスライド８３がスムーズに移動する。
【０００９】
また、カムスライド８３は、パンチ等の工具を取り付けるための工具取付面８３５を有している。さらに、カムスライド８３には、後述するカムドライバ８４の山型の案内面８４０と摺接する谷型の被案内面８３６が底面８３７に形成されている。
【００１０】
カムドライバ８４は、図示していない下型に固定され、カムスライド８３の工具取付面８３５を工具の移動方向Ｓに案内する。カムドライバ８４には、カムスライド８３の谷型の被案内面８３６と摺接する山型の案内面８４０が形成されている。
【００１１】
図７（Ａ）に示すように、カム装置８が上死点に位置している場合、カムスライド８３は、スプリング８２により付勢されて、ベース８０の収容部８０１のホームポジションＡに当接する。ここで、ベース８０に固定された上型の下降に伴いベース８０が下方向−Ｖに移動すると、ベース８０の摺動面８０３がカムスライド８３のスライドプレート８３４と接触して、カムスライド８３の谷型の被案内面８３６をカムドライバ８４の山型の案内面８４０に押し当てる。これにより、カムスライド８３は、ホームポジションＡから離れ、カムドライバ８４の山型の案内面８４０により案内されて前進する。
【００１２】
具体的には、上型の下降とともに、カムスライド８３は、ベース８０の収容部８０１に収容されたガイドバー８１に案内され、スライドプレート８３４とベース８０の摺動面８０３とのスライドにより、ガイドバー８１の軸心Ｘ方向に移動しながら、カムスライド８３の谷型の被案内面８３６とカムドライバ８４の山型の案内面８４０との摺接により案内される。これにより、カムスライド８３の工具取付面８３５が、カムドライバ８４の山型の案内面８４０の稜線Ｙに沿って工具の前進方向＋Ｓに移動する。
【００１３】
つぎに、図７（Ｂ）に示すように、カム装置８が下死点に位置している状態から、上型の上昇に伴いベース８０が上方向＋Ｖに移動すると、カムスライド８３は、スプリング８２により付勢されて側壁８０６から離れ、カムドライバ８４の山型の案内面８４０により案内されて後退する。
【００１４】
具体的には、上型の上昇とともに、カムスライド８３は、ベース８０の収容部８０１に収容されたガイドバー８１に案内され、ガイドバー８１の軸心Ｘ方向に移動しながら、カムスライド８３の谷型の被案内面８３６とカムドライバ８４の山型の案内面８４０との摺接により案内される。これにより、カムスライド８３の工具取付面８３５が、カムドライバ８４の山型の案内面８４０の稜線Ｙに沿って工具の後退方向−Ｓに移動する。
【００１５】
以上より、カム装置８は、上型の上下方向±Ｖの移動に連動して、カムスライド８３の工具取付面８３５を工具の移動方向±Ｓに移動させ、工具取付面８３５に取り付けられたパンチ等の工具を用いてワークを加工することができる。
【先行技術文献】
【特許文献】
【００１６】
【特許文献１】特開２００６−９５５６０号公報
【発明の概要】
【発明が解決しようとする課題】
【００１７】
ところで、上記従来のカム装置８において、スプリング８２が装着されたガイドバー８１が挿入されたカムスライド８３のベース８０への組み付けは、つぎの要領で行われる。すなわち、カムスライド８３の貫通穴８３０の大径部８３１にスプリング８２を挿入して、この大径部８３１にスプリング８２を収容するとともに、ガイドバー８１を一方の端部８１０から貫通穴８３０の大径部８３１に挿入する。これにより、ガイドバー８１にスプリング８２およびカムスライド８３を装着する。つぎに、ベース８０の収容部８０１の側壁８０６に設けられたバネ座８０７に、ガイドバー８１の他方の端部８１１をスプリング８２とともに押し当て、カムスライド８３をベース８０の収容部８０１の側壁８０６側に移動させてスプリング８２を圧縮させながら、ベース８０の収容部８０１の側壁８０４に設けられた装着部８０５に、ガイドバー８１の一方の端部８１０を装着し、ボルト８５でガイドバー８１をベース８０に固定する。これにより、スプリング８２が装着されたガイドバー８１が挿入されたカムスライド８３が、ベース８０の収容部８０１に収容されて、ベース８０に組み付けられる。
【００１８】
このように、上記従来のカム装置８では、スプリング８２が装着されたガイドバー８１が挿入されたカムスライド８３をベース８０に組み付ける際に、カムスライド８３を移動させてスプリング８２を圧縮させながら行う必要があり、作業性が悪い。
【００１９】
本発明は上記事情に鑑みてなされたものであり、その目的は、組立て作業が容易なカム装置を提供することにある。
【課題を解決するための手段】
【００２０】
上記課題を解決するために、本発明のカム装置では、スプリングのプリロード機構を採用することにより、カムスライドの段付貫通穴にスプリングを圧縮させた状態で収容させている。
【００２１】
例えば、本発明のカム装置は、
金型の昇降に従って、工具を所望方向に移動させるカム装置であって、
摺動面を有し、前記金型の昇降に伴い上下方向に移動するベースと、
前記工具を保持する工具保持面を有し、前記ベースの前記摺動面に沿って移動可能に当該ベースに保持されるカムスライドと、
前記工具の移動方向に沿って形成され、前記ベースの移動により、前記カムスライドと接触して前記カムスライドを摺動させる案内面を有し、前記ベースの上下方向の移動中、前記カムスライドと当該案内面との摺動により、前記カムスライドの前記工具保持面を前記工具の移動方向に案内するカムドライバと、
前記金型の下降に伴い前記ベースの前記摺動面に沿って移動した前記カムスライドを、押し戻す方向に付勢するスプリングセットと、を備え、
前記カムスライドは、
前記スプリングセットが挿入される段付貫通穴を有し、
前記スプリングセットは、
前記カムスライドの前記段付貫通穴の大径部に収容されるスプリングと、
前記スプリングにプリロードを加えて圧縮するプリロード手段と、を有する
ことを特徴とする。
【００２２】
ここで、プリロード手段は、一端に前記スプリングのバネ座が形成され、他端に前記カムスライドの前記段付貫通穴の小径部への進入を規制するストッパが形成された柱状のスプリングガイドであり、
前記スプリングは、前記スプリングガイドに装着され、一端が前記カムスライドの前記段付貫通穴の段差面に当接し、かつ他端が前記スプリングガイドの前記バネ座と当接して、プリロードされているものでもよい。
【発明の効果】
【００２３】
本発明では、カムスライドの段付貫通穴にスプリングを圧縮させた状態で収容させているので、スプリングに収容されたカムスライドをベースに組み付ける際に、カムスライドを移動させてスプリングを圧縮させながら行う必要がない。このため、組立て作業が容易なカム装置を提供することができる。
【図面の簡単な説明】
【００２４】
【図１】図１（Ａ）、図１（Ｂ）および図１（Ｃ）は、本発明の一実施の形態に係るカム装置１の正面図、右側面図および左側面図である。
【図２】図２は、図１（Ａ）に示すカム装置１のＡ−Ａ断面図である。
【図３】図３（Ａ）は、図１（Ｂ）に示すカム装置１のＢ−Ｂ断面図であり、図３（Ｂ）は、図１（Ｂ）に示すカム装置１のＣ−Ｃ断面図である。
【図４】図４は、スプリングセット６の部品展開図（部分断面図）である。
【図５】図５（Ａ）は、カム装置１の上死点におけるベース２、カムスライド４、およびカムドライバ５の配置関係を示す図であり、図５（Ｂ）は、カム装置１の下死点におけるベース２、カムスライド４、およびカムドライバ５の配置関係を示す図である。
【図６】図６（Ａ）および図６（Ｂ）は、カム装置１の変形例１ａ、１ｂを説明するための図３（Ｂ）に相当する図である。
【図７】図７（Ａ）および図７（Ｂ）は、従来のカム装置８の正面図（部分断面図）である。
【発明を実施するための形態】
【００２５】
以下に、本発明の一実施の形態について、図面を参照して説明する。
【００２６】
図１（Ａ）、図１（Ｂ）および図１（Ｃ）は、本実施の形態に係るカム装置１の正面図、右側面図および左側面図である。また、図２は、図１（Ａ）に示すカム装置１のＡ−Ａ断面図であり、図３（Ａ）は、図１（Ｂ）に示すカム装置１のＢ−Ｂ断面図であり、図３（Ｂ）は、図１（Ｂ）に示すカム装置１のＣ−Ｃ断面図である。
【００２７】
本実施の形態に係るカム装置１は、図示していないパンチ等の工具を所望の移動方向Ｓに移動させるための装置であり、図示するように、ベース２と、ガイドバー３と、カムスライド４と、カムドライバ５と、スプリングセット６と、を備えている。
【００２８】
ベース２は、図示していない上型に固定され、この上型とともに上下方向Ｖに往復移動する。ベース２の下向面２０には、ガイドバー３およびスプリングセット６が挿入されたカムスライド４を収容する逆Ｕ字型の収容部２１が形成され、この収容部２１の底面２２には、カムスライド４との摺動面２３が上型の移動方向（ベースの移動方向Ｖ）に対し傾斜して形成されている。また、収容部２１の前壁２４には、ガイドバー３が挿入される貫通穴２５が形成され、収容部２１の他方の後壁２６には、貫通穴２５に挿入されたガイドバー３をベース２に装着するための逆Ｕ字型の装着部２７が形成されている。さらに、装着部２７には、ガイドバー３をベース２に固定するためのボルト７と螺合するネジ穴２８が形成されている。
【００２９】
ガイドバー３は、カムスライド４に挿入され、このカムスライド４をベース２の摺動面２３に沿って案内する円柱状部材であり、ベース２の摺動面２３と同じ傾斜でベース２に取り付けられる。また、ガイドバー３の一方の端部（ベース２の装着部２７に装着される側の端部）３０には、ガイドバー３をベース３に固定するためのボルト７が挿入されるボルト穴３１が形成されている。
【００３０】
カムスライド４には、ガイドバー３が挿入される貫通穴４０が形成されている。貫通穴４０の内径は、カムスライド４がスムーズに移動できるように、ガイドバー３の外径より大きい適切な値に設計されている。これにより、カムスライド４は、ガイドバー３に保持されながらベース２の摺動面２３に沿って移動する。
【００３１】
また、カムスライド４には、ガイドバー３と同じ向きでスプリングセット６が挿入される段付貫通穴４１が、スプリングセット６の使用数に応じた数だけ形成されている。段付貫通穴４１は、ベース２の収容部２１の前壁２４側に位置する大径部４２と、ベース２の収容部２１の後壁２６側に位置し、大径部４２より小さな内径の小径部４３と、を有する。段付貫通穴４１の大径部４２には、後述するスプリングスセット６のスプリング６が収容される。
【００３２】
また、カムスライド４には、ベース２の下降時にベース２の摺動面２３に接触するスライドプレート４４が取り付けられている。スライドプレート４４は、銅合金等の摺動特性の優れた部材で形成され、ベース２の下降時にベース２の摺動面２３と接触して滑動する。これにより、カムスライド４がスムーズに移動する。なお、本実施の形態では、スライドプレート４４をカムスライド４に取り付けているが、ベース２側に取り付けてもよい。すなわち、ベース２に摺動面２３を形成する代わりにスライドプレートを取付け、カムスライド４には、ベース２のスライドプレートと摺接する摺動面を形成するようにしてもよい。また、カムスライド４およびベース２の両方にスライドプレートを取り付けて、両者を摺接させるようにしてもよい。
【００３３】
さらに、カムスライド４には、後述するカムドライバ５の山型の案内面５０と摺接する谷型の被案内面４６が底面４７に形成されている。加えて、カムスライド４は、パンチ等の工具を取り付けるための工具取付面４８を有している。
【００３４】
カムドライバ５は、図示していない下型に固定され、カムスライド４の工具取付面４８を工具の移動方向Ｓに案内する。カムドライバ５には、カムスライド４の谷型の被案内面４６と摺接する山型の案内面５０が形成されている。カムドライバ５の山型の案内面５０とカムスライド４の谷型の被案内面４６との摺接により、カムスライド４は工具の移動方向Ｓに対して左右方向に自動調心され、その工具取付面４８が工具の移動方向Ｓに案内される。なお、カムスライド４の谷型の被案内面４８およびカムドライバ５の山型の案内面５０のどちらか一方あるいは両方に摺動部材を取り付けてもよい。
【００３５】
スプリングセット６は、カムスライド４の段付貫通穴４１に挿入され、このカムスライド４をホームポジションＡ（ベース２の収容部２１の後壁２６）に押し戻す方向に付勢する。図４は、スプリングセット６の部品展開図（部分断面図）である。図示するように、スプリングセット６は、柱状のスプリングガイド６０と、スプリングガイド６０に装着されたカラー６１およびスプリング６２と、を備えて構成される。
【００３６】
スプリングガイド６０は、軸方向に連結された第１シャフト部材６３および第２シャフト部材６４を有する。第１シャフト部材６３は、シャフト本体６３０と、シャフト本体６３０の一方の端部６３１に形成され、ベース２の収容部２１の前壁２４と当接するフランジ６３３と、シャフト本体６３０の他方の端部６３２に形成された雄ネジ部６３４と、を有する。また、第２シャフト部材６４は、シャフト本体６４０と、シャフト本体６４０の一方の端部６４１に形成され、カムスライド４の段付貫通穴４１の小径部４３の内径より大きな外径を有するフランジ６４３と、シャフト本体６４０の他方の端部６４２に形成され、第１シャフト部材６３の雄ネジ部６３４と螺合する雌ネジ部６４４と、を有する。スプリングガイド６０は、スプリングセット６をカムスライド４の段付貫通穴４１に挿入し、ガイドバー３をカムスライド４の貫通穴４０に挿入して、ガイドバー３をベース２に装着することにより、カムスライド４をベース２の収容部２１に収容した場合に、収容部２１の前壁２４と後壁２６との間に収まる長さに設定される。
【００３７】
カラー６１は、第１シャフト部材６３のフランジ６３３とスプリング６２との間に配置され、スプリング６２のバネ座として機能する。スプリング６２は、一方の端部６２０がカラー６１と当接し、他方の端部６２１がカムスライド４の段付貫通穴４１の大径部４２の底部（大径部４２と小径部４３との内径差により形成される段差面）４５と当接して、プリロードされ圧縮されている。スプリング６２のプリロード量は、カラー６１の軸方向の長さを変えることにより調整することができる。
【００３８】
つぎに、本実施の形態に係るカム装置１の動作原理を説明する。
【００３９】
図５（Ａ）は、カム装置１の上死点におけるベース２、カムスライド４、およびカムドライバ５の配置関係を示す図であり、図５（Ｂ）は、カム装置１の下死点におけるベース２、カムスライド４、およびカムドライバ５の配置関係を示す図である。図５（Ａ）および図５（Ｂ）は、ともに、図１（Ｂ）に示すカム装置１のＣ−Ｃ断面図に相当する。
【００４０】
図５（Ａ）に示すように、カム装置１が上死点に位置している場合、カムスライド４は、スプリングセット６により付勢されて、ベース２の収容部２１のホームポジションＡに当接する。ここで、ベース２に固定された上型の下降に伴いベース２が下方向−Ｖに移動すると、ベース２の摺動面２３がカムスライド４のスライドプレート４４と接触して、カムスライド４の谷型の被案内面４６をカムドライバ５の山型の案内面５０に押し当てる。これにより、カムスライド４は、ホームポジションＡから離れ、カムドライバ５の山型の案内面５０により案内されて前進する。
【００４１】
具体的には、上型の下降とともに、カムスライド４は、ベース２の収容部２１に取り付けられたガイドバー３に案内され、スライドプレート４４とベース２０の摺動面２３とのスライドにより、ガイドバー３の軸心Ｘ方向に移動しながら、カムスライド４の谷型の被案内面４６とカムドライバ５の山型の案内面５０との摺接により案内される。これにより、カムスライド４の工具取付面４８が、カムドライバ５の山型の案内面５０の稜線Ｙに沿って工具の前進方向＋Ｓに移動する。
【００４２】
つぎに、図５（Ｂ）に示すように、カム装置１が下死点に位置している状態から、上型の上昇に伴いベース２が上方向＋Ｖに移動すると、カムスライド４は、スプリングセット６により付勢されて前壁２４から離れ、カムドライバ５の山型の案内面５０により案内されて後退する。
【００４３】
具体的には、上型の上昇とともに、カムスライド４は、ベース２の収容部２１に収容されたガイドバー３に案内され、ガイドバー３の軸心Ｘ方向に移動しながら、カムスライド４の谷型の被案内面４６とカムドライバ５の山型の案内面５０との摺接により案内される。これにより、カムスライド４の工具取付面４８が、カムドライバ５の山型の案内面５０の稜線Ｙに沿って工具の後退方向−Ｓに移動する。
【００４４】
以上より、カム装置１は、上型の上下方向±Ｖの移動に連動して、カムスライド４の工具取付面４８を工具の移動方向±Ｓに移動させ、工具取付面４８に取り付けられたパンチ等の工具を用いてワークを加工することができる。
【００４５】
つぎに、本実施の形態に係るカム装置１における、ガイドバー３およびスプリングセット６が装着されたカムスライド４のベース２への組み付け方法を説明する。
【００４６】
まず、カムスライド４の段付貫通穴４１の大径部４２にスプリング６２を配置する。つぎに、第１シャフト部材６３にカラー６１を装着して、第１シャフト部材６３をシャフト本体６３０の雄ネジ部６３４側からスプリング６２が配置されたカムスライド４の段付貫通穴４１の大径部４２に挿入するとともに、第２シャフト部材６４をシャフト本体６４０の雌ネジ部６４４側からカムスライド４の段付貫通穴４１の小径部４３２に挿入する。そして、第１シャフト部材６３のシャフト本体６３０の雄ネジ部６３４を、第２シャフト部材６４のシャフト本体６４０の雌ネジ部６４４に捩じ込んで、第１シャフト部材６３および第２シャフト部材６４を軸方向に連結し、スプリングガイド６０を構成する。これにより、スプリング６２の一方の端部６２０がカラー６１と当接し、他方の端部６２１がカムスライド４の段付貫通穴４１の大径部４２の底面４５と当接して、スプリング６２がプリロードされて圧縮された状態で、スプリングセット６がカムスライド４に装着される。
【００４７】
つぎに、スプリングセット６が装着されたカムスライド４を、ベース２の収容部２１に、カムスライド４のスライドプレート４４がベース２の収容部２１の摺動面２３と対面し、かつカムスライド４の段付貫通穴４１の大径部４２がベース２の収容部２１の前壁２４側に位置するように収容させる。それから、ガイドバー３の一方の端部３０を、ベース２の収容部２１の前壁２４に形成された貫通穴２５に、ベース２の外側（前壁２４の反対側の面）からベース２の収容部２１内へ向けて挿入し、さらに、ガイドバー３をカムスライド４の貫通穴４０に挿入する。そして、ガイドバー３の一方の端部３０を、ベース２の収容部２１の後壁２６に形成された装着部２７に位置付ける。つぎに、ガイドバー３の一方の端部３０に形成されたボルト穴３１にボルト７を挿入して、装着部２７に形成されたネジ穴２８に捩じ込むことにより、ガイドバー３をベース２に固定する。これにより、ガイドバー３およびスプリングセット６が装着されたカムスライド４をベース２に組み付ける。
【００４８】
以上、本発明の一実施の形態について説明した。
【００４９】
本実施の形態では、スプリングセット６のスプリング６２がプリロードされて圧縮された状態で、スプリングセット６がカムスライド４に装着されており、このカムスライド４を、スプリングセット６のスプリング６２の圧縮状態を維持したまま、ベース２の収容部２１に収容している。このため、カムスライド４をベース２に組み付ける際に、カムスライド４を移動させてスプリングセット６のスプリング６２を圧縮させながら行う必要がない。したがって、本実施の形態によれば、組立て作業が容易なカム装置１を提供することができる。
【００５０】
また、本実施の形態では、スプリングセット６において、スプリングガイド６０の第１シャフト部材６３のフランジ６３３とスプリング６２との間に、スプリング６２のバネ座として機能するカラー６１を配置している。このカラー６１の軸方向の長さを変えることにより、スプリング６２のプリロード量を容易に調整できる。
【００５１】
本発明は上記の実施の形態に限定されるものではなく、その要旨の範囲内で数々の変形が可能である。
【００５２】
例えば、上記の実施の形態では、スプリングセット６のスプリングガイド６０を、第１シャフト部材６３および第２シャフト部材６４を軸方向に連結することにより構成している。しかし、本発明はこれに限定されない。スプリングガイド６０を単一のシャフト部材で構成してもよいし、あるいは３本以上のシャフト部材を軸方向に連結し構成してもよい。
【００５３】
なお、３本以上のシャフト部材を軸方向に連結してスプリングガイド６０を構成する場合、ベース２の収納部２１の前壁２４側に位置するシャフト部材のこの前壁２４側の端部（第１シャフト部材６３の端部６３１に相当）、あるいは、ベース２の収納部２１の後壁２６側に位置するシャフト部材のこの後壁２６側の端部（第２シャフト部材６４の端部６４１に相当）に、フランジに代えて、ナットと螺合するネジ部を形成する。このナットをシャフト部材から取り外すことで、カラー６１およびスプリング６２をスプリングガイド６０から挿抜自在とすることができる。
【００５４】
また、上記の実施の形態では、スプリングセット６において、スプリングガイド６０の第１シャフト部材６３のフランジ６３３とスプリング６２との間に、スプリング６２のバネ座として機能するカラー６１を配置している。しかし、本発明はこれに限定されない。
【００５５】
例えば、図６（Ａ）に示すカム装置１の変形例１ａのように、カラー６１に代えて、カムスライド４の段付貫通穴４１の大径部４２の底部４５とスプリング６２との間に、スプリング６２のバネ座として機能するカラー６１ａを配置してもよい。この場合、スプリング６２は、一方の端部６２０が第１シャフト部材６３のフランジ６３３と当接し、他方の端部６２１がカラー６１ａと当接して、プリロードされ圧縮される。あるいは、図６（Ｂ）に示すカム装置１の変形例１ｂのように、カラー６１に加えて、上述のカラー６１ａを設けてもよい。この場合、スプリング６２は、一方の端部６２０がカラー６１と当接し、他方の端部６２１がカラー６１ａと当接して、プリロードされ圧縮される。あるいは、第１シャフト部材６３のフランジ６３３をスプリング６２のバネ座として機能させることにより、カラー６１を省略してもよい。この場合、フランジ６３３の厚みを変えることにより、スプリング６２のプリロード量を調整可能とすることができる。
【００５６】
また、上記の実施の形態において、スプリングセット６において、第１シャフト部材６３の端部６３１に、フランジ６３３に代えてナットと螺合するネジ部を形成し、このネジ部にナットを螺合させることにより、カラー６１あるいはスプリング６２の一方の端部６２０を第１シャフト部材６３の端部６３１に螺合したナットと当接させてもよい。また、第２シャフト部材６４の端部６４１に、フランジ６４３に代えてナットと螺合するネジ部を形成し、このネジ部に、カムスライド４の段付貫通穴４１の小径部４３の内径より大きな外径のナットを螺合させ、このナットを、スプリングセット６がカムスライド４の段付貫通穴４１の小径部４３に進入するのを規制するストッパとして機能させてもよい。
【００５７】
また、上記の実施の形態では、円柱状のガイドバー３を用いてカムスライド４をベース２の摺動面２３に沿って案内しているが、本発明はこれに限定されない。本発明のカム装置１は、カムスライド４をベース２の摺動面２３に沿って案内することができるガイド部材が設けられたものであればよい。
【００５８】
また、本発明のカム装置は、工具取付面に取り付けられた工具によりワークに加工を施す様々な加工装置に適用可能である。
【符号の説明】
【００５９】
１：カム装置、  ２：ベース、  ３：ガイドバー、  ４：カムスライド、  ５：カムドライバ、  ６：スプリングセット、  ７：ボルト、  ２０：ベース２の下向面、  ２１：ベース２の収容部、  ２２：収容部２１の底面、  ２３：ベース２の摺動面、  ２４：収容部２１の前壁、２６：収容部２１の後壁、  ２５：前壁２４の貫通穴、  ２７：後壁２６の装着部、  ２８：装着部２６のネジ穴、  ３０：ガイドバー３の一方の端部、  ３１：ガイドバー３のボルト穴、  ４０：カムスライド４の貫通穴、  ４１：カムスライド４の段付貫通穴、  ４２：段付貫通穴４１の大径部、  ４３：段付貫通穴４１の小径部、  ４４：スライドプレート、  ４５：大径部４２の底面、  ４６：カムスライド４の被案内面４６、  ４７：カムスライド４の底面、  ４８：カムスライド４の工具取付面、  ５０：カムドライバ５の案内面、  ６０：スプリングガイド、  ６１：カラー、  ６２：スプリング、  ６３：第１シャフト部材、  ６４：第２シャフト部材、  ６３０：第１シャフト部材６３のシャフト本体、  ６３１、６３２：第１シャフト部材６３の端部、  ６３３：第１シャフト部材６３のフランジ、  ６３４：第１シャフト部材６３の雄ネジ部、  ６４０：第２シャフト部材６４のシャフト本体、  ６４１、６４２：第２シャフト部材６４の端部、  ６４３：第２シャフト部材６４のフランジ、  ６４４：第２シャフト部材６４の雌ネジ部
【図１】
2016179476.tif 000003
【図２】
2016179476.tif 000004
【図３】
2016179476.tif 000005
【図４】
2016179476.tif 000006
【図５】
2016179476.tif 000007
【図６】
2016179476.tif 000008
【図７】
2016179476.tif 000009